(57)【要約】【課題】本発明は、取扱性に優れると共に、蓋のロック機能を備える貼箱の提供を課題とする。【解決手段】本発明の貼箱は、芯材及び貼紙を用いて形成される貼箱であって、トレー状の内箱と、上記内箱に貼設され、この内箱を部分的に被覆するベース体、このベース体に連続して設けられ、このベース体との間の境界線を支点として揺動可能に構成され、上記内箱の開口を封止可能な蓋体、並びに上記ベース体又は蓋体に連続して設けられ、上記ベース体又は蓋体との間の境界線を支点として揺動可能に構成される突片を有する外装シートとを備え、上記蓋体又はベース体の自由端側の端部に、自由端に向かって縮幅する切欠きが形成され、上記突片が、上記切欠きに嵌合可能な外形形状を有する。上記切欠きが、上記突片が嵌合する嵌合領域、及びこの嵌合領域に連続して設けられ、上記突片との間に空隙を形成する非嵌合領域を有するとよい。【選択図】図１
2019099199.tif 000002
【特許請求の範囲】
【請求項１】
芯材及び貼紙を用いて形成される貼箱であって、
トレー状の内箱と、
上記内箱に貼設され、この内箱を部分的に被覆するベース体、このベース体に連続して設けられ、このベース体との間の境界線を支点として揺動可能に構成され、上記内箱の開口を封止可能な蓋体、並びに上記ベース体又は蓋体に連続して設けられ、上記ベース体又は蓋体との間の境界線を支点として揺動可能に構成される突片を有する外装シートと
を備え、
上記蓋体又はベース体の自由端側の端部に、自由端に向かって縮幅する切欠きが形成され、
上記突片が、上記切欠きに嵌合可能な外形形状を有する貼箱。
【請求項２】
上記切欠きが、上記突片が嵌合する嵌合領域、及びこの嵌合領域に連続して設けられ、上記突片との間に空隙を形成する非嵌合領域を有する請求項１に記載の貼箱。
【請求項３】
上記外装シートが、上記内箱に筒状に巻き付けられており、周方向の一端側に上記切欠きが形成され、周方向の他端側に上記突片が形成されている請求項１又は請求項２に記載の貼箱。
【請求項４】
上記蓋体が、板状の支持層と、この支持層の外面に積層される外装層とを有し、
上記切欠きが上記外装層に形成されている請求項１、請求項２又は請求項３に記載の貼箱。
【請求項５】
上記ベース体と蓋体との間の境界線、並びに上記ベース体又は蓋体と上記突片との間の境界線に上記外装シートを外面側から切断したハーフカット線が形成される請求項１から請求項４のいずれか１項に記載の貼箱。
【発明の詳細な説明】
【技術分野】
【０００１】
本発明は、貼箱に関する。
【背景技術】
【０００２】
贈答品等の包装容器として、芯紙等から形成される箱体の外面に貼紙を被覆した貼箱が用いられている。この貼箱としては、トレー状の身と、この身の開口を封止する蓋と、上記身及び蓋の外面に積層され、上記身及び蓋の側壁同士を接続する化粧材とを備えるものが発案されている（特開２０１７−１０５５３５号公報参照）。この公報に記載の貼箱は、上記身及び蓋の側壁同士を化粧材で接続することで上記化粧材を蝶番として機能させている。
【先行技術文献】
【特許文献】
【０００３】
【特許文献１】特開２０１７−１０５５３５号公報
【発明の概要】
【発明が解決しようとする課題】
【０００４】
上記公報に記載の貼箱は、化粧材に蝶番機能を持たせることで、蓋と身とを一体的に取り扱うことができ、取扱性が高められている。しかしながら、上記貼箱は、蓋が容易に開封されるため、蓋の意図しない開封を防止するためにスリーブや紐等の別部材が必要となる。そのため、上記貼箱は、上記別部材を用意するためのコストが嵩む。また、上記貼箱は、使用に際して上記別部材が紛失するおそれがある。
【０００５】
本発明は、このような事情に鑑みてなされたものであり、取扱性に優れると共に、蓋のロック機能を備える貼箱の提供を課題とするものである。
【課題を解決するための手段】
【０００６】
上記課題を解決するためになされた本発明に係る貼箱は、芯材及び貼紙を用いて形成される貼箱であって、トレー状の内箱と、上記内箱に貼設され、この内箱を部分的に被覆するベース体、このベース体に連続して設けられ、このベース体との間の境界線を支点として揺動可能に構成され、上記内箱の開口を封止可能な蓋体、並びに上記ベース体又は蓋体に連続して設けられ、上記ベース体又は蓋体との間の境界線を支点として揺動可能に構成される突片を有する外装シートとを備え、上記蓋体又はベース体の自由端側の端部に、自由端に向かって縮幅する切欠きが形成され、上記突片が、上記切欠きに嵌合可能な外形形状を有する。
【０００７】
当該貼箱は、上記蓋体又はベース体の自由端側の端部に自由端に向かって縮幅する切欠きが形成されており、かつ上記ベース体又は蓋体に連続して設けられる上記突片が上記切欠きに係合可能な外形形状を有するので、上記蓋体によって内箱の開口を封止した状態で、この切欠きに上記突片を嵌合することで蓋体をロックすることができる。当該貼箱は、上記外装シートが上記蓋体及びこの蓋体をロックするための突片を有するので、上記蓋体を内箱と一体的に取り扱うことができるうえ、上記蓋体をロックするための別部材を要しない。そのため、当該貼箱は取扱性に優れる。
【０００８】
上記切欠きが、上記突片が嵌合する嵌合領域、及びこの嵌合領域に連続して設けられ、上記突片との間に空隙を形成する非嵌合領域を有するとよい。このように、上記切欠きが、上記突片が嵌合する嵌合領域、及びこの嵌合領域に連続して設けられ、上記突片との間に空隙を形成する非嵌合領域を有することによって、上記非嵌合領域側から嵌合状態の突片のエッジに手指を掛け、この突片を容易に引き外すことができる。これにより、上記蓋体のロック状態を容易に解除することができる。
【０００９】
上記外装シートが、上記内箱に筒状に巻き付けられており、周方向の一端側に上記切欠きが形成され、周方向の他端側に上記突片が形成されているとよい。このように、上記外装シートが、上記内箱に筒状に巻き付けられており、周方向の一端側に上記切欠きが形成され、周方向の他端側に上記突片が形成されていることによって、当該貼箱の製造が容易であると共に、上記突片によって上記蓋体を容易かつ確実にロックすることができる。
【００１０】
上記蓋体が、板状の支持層と、この支持層の外面に積層される外装層とを有し、上記切欠きが上記外装層に形成されているとよい。このように、上記蓋体が、板状の支持層と、この支持層の外面に積層される外装層とを有し、上記切欠きが上記外装層に形成されていることによって、上記突片によって上記蓋体を容易かつ確実にロックすることができる。また、この構成によると、上記外装層の切欠きに意匠性を持たせることで、上記蓋体を意匠層として用いることができる。
【００１１】
上記ベース体と蓋体との間の境界線、並びに上記ベース体又は蓋体と上記突片との間の境界線に上記外装シートを外面側から切断したハーフカット線が形成されるとよい。このように、上記ベース体と蓋体との間の境界線、並びに上記ベース体又は蓋体と上記突片との間の境界線に上記外装シートを外面側から切断したハーフカット線が形成されることによって、上記ハーフカット線を折り曲げ容易線として用いることで、上記突片を上記切欠きに容易かつ確実に嵌合させることができる。
【発明の効果】
【００１２】
以上説明したように、本発明に係る貼箱は、取扱性に優れると共に、蓋のロック機能を備える。
【図面の簡単な説明】
【００１３】
【図１】本発明の一実施形態に係る貼箱を示す模式的斜視図である。
【図２】図１の貼箱の外装シートの模式的展開図である。
【図３】図１の貼箱の組立手順を示す模式的斜視図である。
【図４】図１の貼箱の図３の次の組立手順を示す模式的斜視図である。
【図５】図１の箱体のロック手順を示す模式的斜視図である。
【図６】図１の貼箱とは異なる実施形態に係る貼箱を示す模式的斜視図である。
【図７】図１及び図６の貼箱とは異なる実施形態に係る貼箱を示す模式的斜視図である。
【発明を実施するための形態】
【００１４】
以下、適宜図面を参照しつつ、本発明の実施の形態を詳説する。
【００１５】
［第一実施形態］
＜貼箱＞
図１の貼箱は、トレー状の内箱１と、内箱１を被覆する外装シート２とを備える。内箱１及び外装シート２は芯材及び貼紙を用いて形成される。上記芯材としては、例えば厚紙等からなる芯紙や樹脂シート等が挙げられ、芯紙が好ましい。
【００１６】
（内箱）
内箱１は、上方が開口したトレー状である。内箱１は、側壁の幅（左右方向長さ）に対して側壁の高さが小さい扁平な有底四角筒状に形成されている。内箱１は、例えばトレー状に折り曲げられた芯材に貼紙を貼着し、この貼紙で芯材を継いだ構成とされる。
【００１７】
（外装シート）
外装シート２は、内箱１に貼設され、内箱１を部分的に被覆するベース体３と、ベース体３に連続して設けられ、ベース体３との間の境界線２１を支点として揺動可能に構成され、内箱１の開口を封止可能な蓋体４と、ベース体３に連続して設けられ、ベース体３との間の境界線２２を支点として揺動可能に構成される突片５とを有する。
【００１８】
外装シート２は、例えば芯材の片面又は両面に貼紙を貼着した構成とすることができる。なお、外装シート２は、後述のように外面側から切断してハーフカット線が形成される場合、上記芯材のハーフカット線が形成される反対の面側に貼紙が積層されていることが好ましい。この構成によると、上記貼紙を残して芯材の厚さ方向を横断するよう上記ハーフカット線を形成することができる。これにより、当該貼箱は、後述する蓋体４の切欠き６の自由端側の盛り上がりを防止して、この切欠き６に突片５を容易かつ確実に嵌合させることができる。なお、「外面」とは当該貼箱において外側に位置する面を意味する。
【００１９】
まず、展開状態の外装シート２を図２に示す。展開状態において、外装シート２は帯状である。外装シート２は、ベース体３と、蓋体４と、突片５とを有する。蓋体４、ベース体３及び突片５は、外装シート２の長手方向の一方側から他方側に連接されている。
【００２０】
展開状態の外装シート２の厚さの下限としては、０．５ｍｍが好ましく、０．８ｍｍがより好ましい。一方、外装シート２の厚さの上限としては、２．０ｍｍが好ましく、１．５ｍｍがより好ましい。外装シート２の厚さが上記下限より小さいと、切欠き６に突片５を嵌合した状態を安定的に保ち難くなるおそれがある。逆に、外装シート２の厚さが上記上限を超えると、外装シート２の厚さが不要に大きくなり、突片５の切欠き６への嵌合作業や、嵌合状態から突片５を引き外す作業が容易でなくなるおそれがある。
【００２１】
（蓋体）
蓋体４は、ベース体３に連続して設けられる外装層１４と、外装層１４のベース体３との連接側と反対側の端縁に連続して設けられる支持層１５とを有する。外装層１４及び支持層１５は略同一形状に形成されている。外装層１４及び支持層１５は、内箱１の上記開口を封止可能な大きさに形成されており、より詳しくは上記開口を画定する内箱１の４つの側壁の上縁に重なり合うよう内箱１の底壁と略同一形状に形成されている。
【００２２】
支持層１５は略矩形の平板状である。外装層１４は、支持層１５との境界線２５を端縁とする開口６ａを有する。開口６ａは、当該貼箱の切欠き６を構成する。開口６ａは、支持層１５との境界線２５に向かって縮幅している。
【００２３】
図３を参照して、展開状態の外装シート２から当該貼箱の蓋体４を組み立てる手順を説明する。図３に示すように、展開状態の外装シート２の支持層１５を外装層１４の内面に折り重ね、支持層１５及び外装層１４の積層面同士を貼着する。これにより、支持層１５と、支持層１５の外面に積層される外装層１４とを有する図１の蓋体４が形成される。また、展開状態の外装シート２において外装層１４に形成された開口６ａは、支持層１５の積層状態で外装層１４の自由端側の端部に配置され、この自由端に向かって縮幅する切欠き６を構成する。つまり、当該貼箱において、蓋体４は、板状の支持層１５と、支持層１５の外面に積層される外装層１４とを有しており、蓋体４の自由端側の端部に、自由端に向かって縮幅する切欠き６が形成されている。
【００２４】
切欠き６は外装層１４に形成されている。切欠き６は、突片５の嵌合状態を安定的に保つ観点から、蓋体４の幅方向の中央部を基準として左右対称な形状とされることが好ましい。
【００２５】
図１に示すように、切欠き６は、突片５が嵌合する嵌合領域１６と、嵌合領域１６に連続して設けられ、突片５との間に空隙を形成する非嵌合領域１７とを有する。嵌合領域１６は、上述の自由端に向かって縮幅する部分を含んで構成される。非嵌合領域１７は、突片５の嵌合状態で、この突片５のエッジに手指を掛けることが可能な程度の空隙を形成する。非嵌合領域１７は、突片５のエッジに手指を掛けた状態でこの突片５を揺動しやすいよう、嵌合領域１６よりも基端側に形成されていることが好ましい。当該貼箱は、切欠き６が嵌合領域１６及び非嵌合領域１７を有することによって、非嵌合領域１７側から嵌合状態の突片５のエッジに手指を掛け、この突片５を容易に引き外すことができる。その結果、当該貼箱は、蓋体４のロック状態を容易に解除することができる。
【００２６】
非嵌合領域１７の大きさ（平面面積）の下限としては、１．０ｃｍ２が好ましく、１．５ｃｍ２が好ましい。非嵌合領域１７の大きさが上記下限より小さいと、非嵌合領域１７によって手指を入れるための十分な空隙を形成することができないおそれがある。一方、非嵌合領域１７の大きさの上限としては、特に限定されないが、空隙が不要に大きくなることを防止する観点から、例えば６０ｃｍ２とすることができる。
【００２７】
外装層１４は、当該貼箱の蓋体４の外面を形成する意匠層として機能する。外装層１４は、切欠き６以外にも複数の開口及び／又は切欠きが形成されていてもよく、これらの開口及び／又は切欠きによって特定のデザインや模様が施されていてもよい。
【００２８】
ベース体３（より詳しくは後述する第１側面パネル１２）と外装層１４との境界線２１、及び外装層１４と支持層１５との境界線２５には折り曲げ容易線が形成されている。これらの折り曲げ容易線は、外装シート２を外面側から切断したハーフカット線であることが好ましい。第１側面パネル１２と外装層１４との境界線２１に形成される折り曲げ容易線がハーフカット線であることによって、外装層１４を第１側面パネル１２に対して内側に直角に折り曲げやすい。また、外装層１４と支持層１５との境界線２５に形成される折り曲げ容易線がハーフカット線であることによって、折り曲げ部分の膨らみを防止しつつ支持層１５を外装層１４の内面に重ね合わせやすい。
【００２９】
（ベース体）
ベース３は、内箱１の底壁の外面に貼着される底面パネル１１と、底面パネル１１と蓋体４とを接続し、内箱１の第１の側壁１ａの外面に貼着される第１側面パネル１２と、底面パネル１１と突片５とを接続し、内箱１の第１の側壁１ａに対向する第２の側壁１ｂの外面に重なり合う第２側面パネル１３とを有する。
【００３０】
図４に示すように、ベース体３は、底面パネル１１の内面を内箱１の底面に貼着し、かつ第１側面パネル１２の内面を内箱１の第１の側壁１ａの外面に貼着することで内箱１に貼設される。
【００３１】
第２側面パネル１３は、底面パネル１１との境界線２３を支点として揺動可能に構成されており、第２の側壁１ｂの外面には貼着されない。底面パネル１１は、内箱１の底壁と略同一形状であり、第１側面パネル１２は内箱１の第１の側壁１ａと略同一形状であり、第２側面パネル１３は内箱１の第２の側壁１ｂと略同一形状である。第１側面パネル１２、底面パネル１１及び第２側面パネル１３は、外装シート２の長手方向の一方側から他方側に連続して設けられている。
【００３２】
底面パネル１１と第１側面パネル１２との境界線２４、及び底面パネル１１と第２側面パネル１３との境界線２３には折り曲げ容易線が形成されている。これらの折り曲げ容易線は、外装シート２を外面側から切断したハーフカット線であることが好ましい。上記折り曲げ容易線がハーフカット線であることによって、底面パネル１１、第１側面パネル１２及び第２側面パネル１３の折り曲げ部分の内面を直角に保ちやすい。これにより、底面パネル１１、第１側面パネル１２及び第２側面パネル１３の内面と内箱１の外面とを的確に当接しやすい。また、上記折り曲げ容易線がハーフカット線であることによって、第２側面パネル１３を底面パネル１１との境界線２３を支点として揺動した場合に、第２側面パネル１３がハーフカット線の形成方向側に１８０°を超えて折れ曲がることを抑制することができる。なお、本発明において「内面」とは、貼箱において内側に位置する面を意味する。
【００３３】
（突片）
突片５は、第２側面パネル１３の底面パネル１１との連接側と反対側の端縁に連続して設けられている。突片５は、切欠き６に嵌合可能な外形形状を有する。突片５は基端から自由端に向けて拡幅している。突片５の拡幅部分は、切欠き６の縮幅部分と相補的な嵌合形状である。
【００３４】
突片５と第２側面パネル１３との境界線２２には折り曲げ容易線が形成されている。この折り曲げ容易線は、外装シート２を外面側から切断したハーフカット線であることが好ましい。突片５と第２側面パネル１３との境界線２２に形成される折り曲げ容易線がハーフカット線であることによって、突片５を第２側面パネル１３に対して内側に直角に折り曲げやすい。これにより、当該貼箱は、突片５を切欠き６に嵌合しやすい。
【００３５】
突片５の大きさの下限としては、２．０ｃｍ２が好ましく、４．０ｃｍ２がより好ましい。突片５の大きさが上記下限より小さいと、突片５の取扱性が不十分となり、突片５の切欠き６への嵌合作業や、嵌合状態から突片５を引き外す作業が容易でなくなるおそれがある。一方、突片５の大きさの上限としては、特に限定されないが、突片５が不要に大きくなることを防止する観点から、例えば１００ｃｍ２とすることができる。
【００３６】
（ロック機構）
当該貼箱は、図５に示すように、蓋体４で内箱１の上記開口を封止したうえ、第２側面パネル１３を内箱１の第２の側壁１ｂの外面に重ね合わせ、突片５を切欠き６に嵌合することで蓋体４をロックすることができる。
【００３７】
上述のように、ベース体３と突片５との間の境界線２２には外装シート２を外面側から切断したハーフカット線が形成されていることが好ましい。当該貼箱は、ベース体３と突片５との間の境界線２２に上記ハーフカット線が形成されていることによって、第２側面パネル１３に対して突片５を内側に直角に折り曲げやすい。また、この場合、ベース体３と蓋体４との間の境界線２１（具体的には、第１側面パネル１２と外装層１４との間の境界線２１）にも外装シート２を外面側から切断したハーフカット線が形成されていることが好ましい。当該貼箱は、ベース体３と蓋体４との間の境界線２１に上記ハーフカット線が形成されていることで、第１側面パネル１２に対して蓋体４を内側に直角に折り曲げやすい。これにより、これらのハーフカット線によって突片５及び蓋体４を折り曲げることで、突片５を切欠き６に容易かつ確実に嵌合させることができる。さらに、この場合、第２側面パネル１３を内箱１の第２の側壁１ｂの外面に容易かつ確実に重ね合わせることができるよう、第２側面パネル１３と底面パネル１１との境界線２３にも外装シート２を外面側から切断したハーフカット線が形成されていることが好ましい。
【００３８】
当該貼箱は、外装シート２が内箱１に筒状に巻き付けられており、周方向の一端側に切欠き６が形成され、周方向の他端側に突片５が形成されている。この構成によると、当該貼箱は、周方向の中央部分に設けられるベース体３を内箱１の外面に貼着することで外装シート２を内箱１に取り付けることができるので製造が容易である。また、この構成によると、蓋体４の開封側の端部に突片５を容易に嵌合することができるので、突片５によって蓋体４を容易かつ確実にロックすることができる。
【００３９】
＜利点＞
当該貼箱は、蓋体４の自由端側の端部に自由端に向かって縮幅する切欠き６が形成されており、かつベース体３に連続して設けられる突片５が切欠き６に係合可能な外形形状を有するので、蓋体４によって内箱１の開口を封止した状態で、この切欠き６に突片５を嵌合することで蓋体４をロックすることができる。当該貼箱は、外装シート２が蓋体４及びこの蓋体４をロックするための突片５を有するので、蓋体４を内箱１と一体的に取り扱うことができるうえ、蓋体４をロックするための別部材を要しない。そのため、当該貼箱は取扱性に優れる。当該貼箱は、外装シート２を当該貼箱の外面を形成する化粧シートとして用いることができるので、別途化粧材を用いることを要しない。さらに、当該貼箱は、外装シート２によって蓋体４が形成されるため、従来の貼箱のように、身及び蓋を別個のラインで製造することを要しない。そのため、当該貼箱は、製造効率を高めることができると共に、製造コストを抑制することができる。
【００４０】
当該貼箱は、切欠き６が外装層１４に形成されているので、突片５の嵌合状態で、この突片５の内面が支持層１５に支持される。そのため、当該貼箱は、蓋体４を容易かつ確実にロックすることができる。また、この構成によると、外装層１４の切欠き６に意匠性を持たせることで、蓋体４を意匠層として用いることができる。
【００４１】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４２】
本発明の他の実施形態について図６を参照して説明する。図６の貼箱は、トレー状の内箱１と、内箱１を被覆する外装シート３２とを備える。内箱１及び外装シート３２は芯材及び貼紙を用いて形成される。内箱１は、図１の貼箱と同様のため、同一符号を付して説明を省略する。
【００４３】
外装シート３２は、内箱１に貼設され、内箱１を部分的に被覆するベース体３３と、ベース体３３に連続して設けられ、ベース体３３との間の境界線４１を支点として揺動可能に構成され、内箱１の開口を封止可能な蓋体３４と、蓋体３４に連続して設けられ、蓋体３４との間の境界線４２を支点として揺動可能に構成される突片３５とを有する。当該貼箱は、ベース体３３の自由端側の端部に、自由端に向かって縮幅する切欠き３６が形成されている。突片３５は、切欠き３６に嵌合可能な外形形状を有する。
【００４４】
当該貼箱は、ベース体３３の内箱１の底面に貼着される底面パネルの自由端側の端部に切欠き３６が形成されており、蓋体３４が内箱１の開口を封止する本体３４ａと、この本体３４ａのベース体３３との連接側と反対側の端縁に連続して設けられ、内箱１の第２の側壁１ｂの外面に重ね合わされる側面パネル３４ｂとを有しており、突片３５がこの側面パネル３４ｂの本体３４ａとの連接側と反対側の端縁に連続して設けられている以外、図１の貼箱と同様に構成することができる。当該貼箱は、図１の貼箱と同様、切欠き３６が、突片３５に嵌合する嵌合領域、及びこの嵌合領域に連続して設けられ、突片３５との間に空隙を形成する非嵌合領域を有することが好ましい。また、外装シート３２におけるベース体３３と蓋体３４との間の境界線４１、蓋体３４と突片３５との間の境界線４２、及びその他各パネル間の境界線には外装シート３２を外面側から切断したハーフカット線が形成されていることが好ましい。
【００４５】
当該貼箱において、上記外装シートは、内箱に筒状に巻き付けられていなくてもよい。上記外装シートが内箱に筒状に巻き付けられていない具体例を図７に示す。図７の貼箱は、蓋体５４が内箱５１の開口を封止する天面パネル５４ａと、この天面パネル５４ａの外縁に連続し、内箱５１の側壁の外面に重なり合う４つの周面パネル５４ｂとを有する。当該貼箱は、内箱５１の開口の開放端側に位置する周面パネル５４ｂの下端部に切欠き５６が形成されている。また、当該貼箱は、ベース体５３が内箱５１の底面の全面及び４つの側面の一部を被覆する外箱として形成されており、突片５５がこの外箱の側壁上端に連続して設けられている。当該貼箱は、このような構成によっても、突片５５によって蓋体５４を容易にロックすることができる。
【００４６】
上記切欠きは、必ずしも突片との間に空隙を形成する非嵌合領域を有しなくてもよい。
【産業上の利用可能性】
【００４７】
以上のように、本発明に係る貼箱は、取扱性に優れると共に、蓋のロック機能を備えるので贈答品等を収容する容器として適している。
【符号の説明】
【００４８】
１，５１  内箱
１ａ  第１の側壁
１ｂ  第２の側壁
２，３２  外装シート
３，３３，５３  ベース体
４，３４，５４  蓋体
５，３５，５５  突片
６，３６，５６  切欠き
６ａ  開口
１１  底面パネル
１２  第１側面パネル
１３  第２側面パネル
１４  外装層
１５  支持層
１６  嵌合領域
１７  非嵌合領域
２１〜２５，４１，４２  境界線
３４ａ  本体
３４ｂ  側面パネル
５４ａ  天面パネル
５４ｂ  周面パネル
【図１】
2019099199.tif 000003
【図２】
2019099199.tif 000004
【図３】
2019099199.tif 000005
【図４】
2019099199.tif 000006
【図５】
2019099199.tif 000007
【図６】
2019099199.tif 000008
【図７】
2019099199.tif 000009